(57)【要約】【課題】高齢者個人の身体活動能力や生活活動能力を測定して、その人に適した機能維持や対応方法を推奨可能とすること。【解決手段】スイッチ部のオン・オフの状態を検知するセンサ５００と、センサ５００とワイヤレス状態で接続しスイッチ部のオンからオフまでに要する時間またはオフからオンまでに要する時間を計測する計測器４００と、計測器４００から送出されてくる時間情報を属性情報とともに記憶する端末機器３００と、属性情報に基づく所定時間毎の評価情報及びこの評価情報に基づくレコメンド情報を記憶する記憶部１４０を有し端末機器３００から通信ネットワーク２００を介して送出されてくる上記時間情報及び属性情報に関し記憶部１４０を参照して推奨可能な情報を端末機器３００に送出するサーバ１００とから構成されることを特徴とする。【選択図】  図１
2020095367.tif 000002
【特許請求の範囲】
【請求項１】
被測定者の立ち上がり動作を測定する起居能力測定手段、被測定者のジグザグ歩行動作を測定する歩行能力測定手段、被測定者のボール移動動作を測定する手腕作業能力測定手段、被測定者の外部刺激からの反応動作を測定する全身反応能力測定手段及び／または被測定者のタッチ動作を測定する身辺作業能力測定手段に設けられたスイッチ部と、
このスイッチ部のオン・オフの状態を検知する検知手段と、
この検知手段とワイヤレス状態で接続し上記スイッチ部のオンからオフまでに要する時間またはオフからオンまでに要する時間を計測する計測手段と、
この計測手段からの計測時間情報を属性情報とともに外部へ送出する測定情報送出手段と、
この測定情報送出手段からの上記属性情報を参照して被測定者を特定し管理する端末機器と、
属性情報に基づく所定時間毎の評価情報及びこの評価情報に基づくレコメンド情報を記憶する記憶手段を有し、上記測定情報送出手段から通信ネットワークを介して送出されてくる上記計測時間情報及び上記属性情報に関し、当該記憶手段を参照して推奨可能な情報を上記端末機器に送出するサーバコンピュータとから構成されることを特徴とする身体活動支援システム。
【請求項２】
上記端末機器は所望する情報の要求指示を上記サーバコンピュータに対して行うと、上記サーバコンピュータは上記記憶手段を参照して当該要求指示に合致した情報を上記端末機器に送出可能となるよう構成したことを特徴とする請求項１記載の身体活動支援システム。
【請求項３】
上記計測手段による計測時間情報及び／または上記サーバコンピュータから送出される推奨可能な情報を出力する出力装置を設けたことを特徴とする請求項１または請求項２記載の身体活動システム。
【請求項４】
被測定者の立ち上がり動作を測定する起居能力測定部、被測定者のジグザグ歩行動作を測定する歩行能力測定部、被測定者のボール移動動作を測定する手腕作業能力測定部、被測定者の外部刺激からの反応動作を測定する全身反応能力測定部及び／または被測定者のタッチ動作を測定する身辺作業能力測定部に設けられたスイッチ部のオン・オフの状態を検知部にて検知し、
上記検知部とワイヤレス状態で接続し上記スイッチ部のオンからオフまでに要する時間またはオフからオンまでに要する時間を計測部にて計測し、
この計測した計測時間情報を属性情報とともに外部へ送出し、
この計測した計測時間情報と属性情報に関し、記憶部に記憶された属性情報に基づく所定時間毎の評価情報及びこの評価情報に基づくレコメンド情報を参照し、推奨可能な情報を出力するようにしたことを特徴とする身体活動支援方法。
【請求項５】
所望する情報の要求指示に基づいて上記記憶部を参照して当該要求指示に合致した情報を選出可能となるよう構成したことを特徴とする請求項４記載の身体活動支援方法。
【請求項６】
上記計測時間情報及び／または上記出力される推奨可能な情報を出力するようにしたことを特徴とする請求項４または請求項５記載の身体活動システム。
【発明の詳細な説明】
【技術分野】
【０００１】
本発明は、個人の身体活動能力を測定することにより、特に高齢者個人の身体活動能力を測定することにより身体活動能力の維持・改善を図る対応策や処方、運動プログラムを提供するための身体活動支援システム及び身体活動支援方法に関する。
【背景技術】
【０００２】
近時、日本国の高齢者人口は増加の一途を辿り、社会構造として高齢者社会を形成するに至っている。この傾向はますます強まっており、２０２０年には４人に１人が高齢者になることが予想されている。このような高齢者社会に於いては、高齢者の豊な人生経験や知識を生かした社会参加が望まれている。一方、高齢者が健やかに生き生きと自立するために必要な健康と体力の問題がクローズアップされている。
【０００３】
高齢者が健康な日常生活を送るために、世界保健機関は、高齢者に於ける健康指標として、日常生活に於ける自立（日常生活機能）を提唱している。日常生活機能は時代とともに変化しており、加齢によって機能の低下が認められる高齢者に於いては、最低限の生活機能レベルを維持していくことが健康の条件となっている。
【０００４】
そのためには、健康な社会生活を獲得するための活動力が必要である。この活動力を生理学的分野から分類すると、例えば以下の通りとなる。
（１）生命を保持するだけの基礎代謝レベル
（２）日常生活動作（ＡＤＬ）レベル
（３）家事や買物、一人での交通機関の利用等が含まれた生活機能（ＡＰＤＬ）レベル
（４）体操や軽いスポーツ、軽労働ができるレベル
而して（１）乃至（４）の活動レベルを維持することで一般的な健康生活を維持することができるものと考えられている。
【０００５】
従って、高齢者個人の身体活動能力や生活活動能力を測定して、その人に合った機能維持や対応方法等を見出して実行していくことが肝要である。
【０００６】
下記特許文献１には、高齢者各人の日常生活活動量を考慮した生活指導と運動プログラムを提示することにより、適切なケアサービスを提供可能とした高齢者の日常生活・運動支援システムが開示されている。この日常生活・運動支援システムによれば、評価対象者の体力測定値と評価対象者と同年齢の平均値とその年齢に於ける自立限界値とを比較して自立度を求めて評価し、その評価情報と個人データベースからの情報とに基づいて、生活指導・運動指導プログラムファイルから生活指導と運動のプログラムを選定して提示するようにしたので、自立できる度合いを定量的に評価でき、その評価に基づいて施設の利用者一人ひとりに、生活活動能力に見合った適切できめ細かいケアサービスを提供できるようにしたものである。
【０００７】
下記特許文献２には、高齢者等の被測定者の日常生活動作に応じた視点での自立体力を精度良くテストできて、高齢者等の健康づくりを効果的に支援することが可能な自立体力テスト方法が開示されている。この自立体力テスト方法によれば、被測定者がマット上に寝た姿勢から起き上がる動作と、椅子に座り立ち上がる動作及びパワーリングを拾って頭上に持ち上げる動作を行い、これらの時間を測定して評価基準表と比較し、姿勢変換に係わる自立体力をテストするため、高齢者等の被測定者の日常生活動作としての起き上がりや立ち上がり等の姿勢変換に応じた視点での自立体力を精度良くテストできて、高齢者等の健康づくりを効果的に支援できるようにしたものである。
【０００８】
下記特許文献３には、運動に関連した時刻、日付、その他のデータを検知、測定、記録や解析し、その測定された運動に関する意味のあるフィードバックを生成する身体活動中の適切な運動を支援するためのシステムが開示されている。
【先行技術文献】
【特許文献】
【０００９】
【特許文献１】特許第４６４６０１９号公報
【特許文献２】特許第５４４１２４０号公報
【特許文献３】特表２００１−５２３５３６号公報
【発明の開示】
【発明が解決しようとする課題】
【００１０】
上述したように種々の身体活動の支援方法が提案されている。
【００１１】
しかしながら、特許文献１に開示されたものは、高齢者等のケアを行う施設を対象としており、大規模なシステムを構築する必要がある。しかも高齢者各人が自ら容易に利用できるという仕組みにはなっていないものである。
【００１２】
特許文献２に開示されたものは、高齢者等の日常生活動作に応じた視点での自立体力を精度良くテストできるようにしたことに過ぎないものである。加えて、高齢者個人の身体活動能力や生活活動能力を測定して、その人に合った機能維持や対応方法等を提供するという思想は見出せないものである。
【００１３】
特許文献３に開示されたものは、身体活動を行う際に個人を適正な姿勢になるよう訓練するのを支援するものに過ぎず、高齢者個人の身体活動能力や生活活動能力を測定して、その人に合った機能維持や対応方法等を提供するという思想は見出せないものである。
【００１４】
高齢者個人の身体活動能力や生活活動能力を測定して、その人に合った機能維持や対応方法等を見出して実行するためには、起居能力、歩行能力、手腕作業能力、全身反応能力、身辺作業能力の５種類の能力について生活活動力テストを行い、どの能力が衰え始めているかを知ることで、早めに対策を講じることが有効であることが提唱されている。
しかしながら、その実現にはシステムが大きくなりがちで容易なものではなく、経済的にも負担の大きいものと考えられてきた。
【００１５】
本発明は上記事情を考慮してなされたもので、上述した不具合を解消し、高齢者個人の身体活動能力や生活活動能力を測定して、その人に適した機能維持や対応方法を推奨可能としたシンプルな身体活動支援システム及び身体活動支援方法を提供することを目的とする。
また、本発明は、いつでもどこにいても測定結果に基づく推奨情報を確認可能とした身体活動支援システム及び身体活動支援方法を提供することを目的とする。
【課題を解決するための手段】
【００１６】
本発明は、上記目的を達成するために以下の通りの構成とすることを特徴とする。
【００１７】
（１）  被測定者の立ち上がり動作を測定する起居能力測定手段、被測定者のジグザグ歩行動作を測定する歩行能力測定手段、被測定者のボール移動動作を測定する手腕作業能力測定手段、被測定者の外部刺激からの反応動作を測定する全身反応能力測定手段及び／または被測定者のタッチ動作を測定する身辺作業能力測定手段に設けられたスイッチ部と、このスイッチ部のオン・オフの状態を検知する検知手段と、この検知手段とワイヤレス状態で接続し上記スイッチ部のオンからオフまでに要する時間またはオフからオンまでに要する時間を計測する計測手段と、この計測手段からの計測時間情報を属性情報とともに外部へ送出する測定情報送出手段と、この測定情報送出手段からの上記属性情報を参照して被測定者を特定し管理する端末機器と、属性情報に基づく所定時間毎の評価情報及びこの評価情報に基づくレコメンド情報を記憶する記憶手段を有し、上記測定情報送出手段から通信ネットワークを介して送出されてくる上記計測時間情報及び上記属性情報に関し、当該記憶手段を参照して推奨可能な情報を上記端末機器に送出するサーバコンピュータとを具備したことを特徴とする構成とした。
【００１８】
（２）  上記（１）の構成にあって、上記端末機器は所望する情報の要求指示を上記サーバコンピュータに対して行うと、上記サーバコンピュータは上記記憶手段を参照して当該要求指示に合致した情報を上記端末機器に送出可能となるよう構成した。
【００１９】
（３）  上記（１）または（２）の構成にあって、上記計測手段による計測時間情報及び／または上記サーバコンピュータから送出される推奨可能な情報を出力する出力装置を設けたことを特徴とする構成とした。
【００２０】
（４）  被測定者の立ち上がり動作を測定する起居能力測定部、被測定者のジグザグ歩行動作を測定する歩行能力測定部、被測定者のボール移動動作を測定する手腕作業能力測定部、被測定者の外部刺激からの反応動作を測定する全身反応能力測定部及び／または被測定者のタッチ動作を測定する身辺作業能力測定部に設けられたスイッチ部のオン・オフの状態を検知部にて検知し、上記検知部とワイヤレス状態で接続し上記スイッチ部のオンからオフまでに要する時間またはオフからオンまでに要する時間を計測部にて計測し、この計測した計測時間情報を属性情報とともに外部へ送出し、この計測した計測時間情報と属性情報に関し、記憶部に記憶された属性情報に基づく所定時間毎の評価情報及びこの評価情報に基づくレコメンド情報を参照し、推奨可能な情報を出力するように構成した。
【００２１】
（５）  上記（４）の構成にあって、所望する情報の要求指示に基づいて上記記憶部を参照し当該要求指示に合致した情報を選出可能となるよう構成した。
【００２２】
（６）  上記（４）または（５）の構成にあって、上記計測時間情報及び／または上記出力される推奨可能な情報を出力するよう構成にした。
【００２３】
上記構成によれば、シンプルな構成で、高齢者個人の身体活動能力や生活活動能力を測定でき、その人に適した機能維持や対応方法を推奨できるものである。
【００２４】
また、上記構成によれば、いつでもどこにいても測定結果に基づく推奨情報を確認可能としたので、便利で有用なものである。
【００２５】
さらに、上記構成によれば、検知手段と計測手段はワイヤレス状態で接続しているので、測定場所の選択肢が広がり実用的なものである。
【００２６】
さらに、上記構成によれば、サーバコンピュータに個人を特定するような個人情報を保持する仕組みを持たせないようにすることも可能であるので、個人情報の不用意な流出、漏洩、拡散防止を図れるものである。
【発明の効果】
【００２７】
本発明によれば、シンプルな構成で、高齢者個人の身体活動能力や生活活動能力を測定でき、その人に適した機能維持や対応方法を推奨・提供できるという優れた効果を奏する。
また、本発明によれば、いつでもどこにいても測定結果に基づく推奨情報を確認可能としたので、便利で有用なものである。
【００２８】
さらに、本発明によれば、測定装置をワイヤレス状態で接続可能としているので、測定場所の制約を受け難くなり、実用的に便利で有用なものである。
【００２９】
さらに、本発明によれば、センシティブな測定結果等の個人情報の不用意な流出、漏洩、拡散防止を図れるものである。
【図面の簡単な説明】
【００３０】
【図１】本発明の第１の実施形態に係わる身体活動支援システムを概念的に示す図である。
【図２】同実施形態に係わり、サーバコンピュータを概念的に示す図である。
【図３】同実施形態に係わり、サーバコンピュータから端末機器に推奨・提供される、被験者に適した運動プログラムの一例を概念的に示す図である。
【図４】同実施形態に係わり、起居能力測定の様子を側面側から模式的に示す図であり、（ａ）は測定開始直前の状態を示す図であり、（ｂ）は測定中の状態を示す図である。
【図５】同実施形態に係わり、歩行能力測定の様子を上面側から模式的に示す図である。
【図６】同実施形態に係わり、手腕作業能力測定の様子を上面側から模式的に示す図である。
【図７】同実施形態に係わり、全身反応能力測定の様子を側面側から模式的に示す図であり、（ａ）は測定開始直前の状態を示す図であり、（ｂ）は測定中の状態を示す図である。
【図８】同実施形態に係わり、身辺作業能力測定の様子を模式的に示す図である。
【図９】同実施形態に係わり、起居能力測定の処理の流れを示す図である。
【図１０】同実施形態に係わり、歩行能力測定の処理の流れを示す図である。
【図１１】同実施形態に係わり、手腕作業能力測定の処理の流れを示す図である。
【図１２】同実施形態に係わり、全身反応能力測定の処理の流れを示す図である。
【図１３】同実施形態に係わり、身辺作業能力測定の処理の流れを示す図である。
【図１４】同実施形態に係わり、被測定者別に適した運動プログラムを作成・提供処理の流れを示す図である。
【図１５】本発明の第２の実施形態に係わる身体活動支援システムを概念的に示す図である。
【図１６】同実施形態に係わり、サーバコンピュータを概念的に示す図である。
【図１７】同実施形態に係わり、起居能力測定の処理の流れを示す図である。
【図１８】同実施形態に係わり、歩行能力測定の処理の流れを示す図である。
【図１９】同実施形態に係わり、手腕作業能力測定の処理の流れを示す図である。
【図２０】同実施形態に係わり、全身反応能力測定の処理の流れを示す図である。
【図２１】同実施形態に係わり、身辺作業能力測定の処理の流れを示す図である。
【図２２】同実施形態に係わり、測定結果の出力提供処理の流れを示す図である。
【図２３】同実施形態に係わり、被測定者別に適した運動プログラムを作成・提供処理の流れを示す図である。
【図２４】本発明の第２の実施形態の変形例に係わる身体活動支援システムを概念的に示す図である。
【発明を実施するための形態】
【００３１】
以下本発明の実施形態につき、図面を参照して説明する。
【００３２】
（第１の実施形態）
第１の実施形態に係わる身体活動支援システムは、図１に示すように、サーバコンピュータ（以下、サーバ）１００、このサーバ１００とインターネット回線等の通信ネットワーク２００を介して接続される端末機器３００、この端末機器３００に接続される計測器４００、計測器４００に接続するセンサ５００及びセンサ５００に接続する各種測定装置（起居能力測定装置６１０、歩行能力測定装置６２０、手腕作業能力測定装置６３０、全身反応能力測定装置６４０、身辺作業能力測定装置６５０）から構成される。通信ネットワーク２００を介してのサーバ１００と端末機器３００との通信は、セキュリティ対策としてＨＴＴＰＳプロトコル（例えばＩＥＴＦのＴＬＳ通信)にて情報の送受信が行われる。
【００３３】
サーバ１００は、クラウド型のサーバコンピュータで、図２に示すように、制御処理部１１０、入力部１２０、出力部１３０、記憶部１４０及び利用者情報管理部１５０を内設し、夫々が信号線１６０を介して接続されている。そして、サーバ１００は、通信ネットワーク２００を介して端末装置３００から送出されてくる計測時間情報及び属性情報等を受信し、当該情報に対して有用とされる情報を選出して端末機器３００に送出する機能を有する。
【００３４】
制御処理部１１０は、記憶部１４０に格納された所定のプログラム情報を参照してシステム全体の制御処理を司る機能を有する。また、制御処理部１１０は、端末機器３００から送出されてくる情報を入力部１２０を介して受信し、記憶部１４０を参照して当該情報に対して有用と判断する情報を出力部１３０を介して端末機器３００に送出する機能を有する。
【００３５】
入力部１２０は、制御処理部１１０の管理下で、外部から送出されてくる情報を受信し記憶部１４０に格納する機能を有する。また、入力部１２０は、制御処理部１１０の管理下で、内設するキーボード等からのキー入力による入力情報を記憶部１４０に格納する機能を有する。
【００３６】
出力部１３０は、制御処理部１１０の管理下で、各種情報を表示出力したり音声出力等する機能を有する。また、出力部１３０は、制御処理部１１０の管理下で、各種情報を通信ネットワーク２００を介して外部へ送出する機能を有する。
【００３７】
記憶部１４０はリード／ライト可能なメモリである。記憶部１４０は、制御処理部１１０が各種制御処理・管理をするために参照するプログラム情報を格納するプログラム情報記憶領域１４０ａ、各種コンテンツ情報を格納しておくためのコンテンツ情報記憶領域１４０ｂ、各種作業を行うための作業領域１４０ｃ、端末機器３００から送出されてくる種々の計測時間情報及び属性情報を被測定者情報として格納する被測定者情報記憶領域１４０ｄ、身体活動支援管理に有用とされる身体活動支援情報が格納される身体活動支援情報記憶領域１４０ｅ、時間情報と属性情報を所定の規則に従って対応付けられたテーブル情報が格納されるテーブル情報記憶領域１４０ｆ及び利用者の個人情報や計測情報及び利用履歴情報等を格納する利用者情報記憶領域１４０ｇ等の記憶領域を有する。
【００３８】
ここで、身体活動支援情報記憶領域１４０ｅに格納される身体活動支援管理に有用とされる身体活動支援情報とは、起居能力、歩行能力、手腕作業能力、全身反応能力及び身辺作業能力の測定結果に基づき、衰え始めている能力への対策情報、例えば運動プログラム（レコメンド情報、図３参照）を作成するためのものである。具体的には、測定結果に基づく年齢別、性別及び疾患状況別の運動様式、運動強度、運動時間、運動頻度及び運動期間に関する情報である。
【００３９】
また、テーブル情報記憶領域１４０ｆに格納される時間情報及び属性情報は、所定時間毎の評価情報を導出すべく、起居能力、歩行能力、手腕作業能力、全身反応能及び身辺作業能力の測定時間を分類化し、年齢別、性別及び疾患の有無別にテーブル化したものである。
【００４０】
利用者情報管理部１５０は、制御処理部１１０の管理下で、入力されてくる利用者に関する個人情報や計測情報及び利用履歴情報等を利用者情報記憶領域１４０ｇに格納する機能を有する。また、利用者情報管理部１５０は、制御処理部１１０の管理下で、利用者情報記憶領域１４０ｇに格納される情報を参照・選出して送出する機能を有する。
【００４１】
端末機器３００は、端末機器全体の制御処理を司る制御部３２０、入出力情報を処理する入出力部３４０及び各種情報を格納するリード／ライト可能なメモリ３６０を内設するものである。端末機器３００としては、例えばパソコンやスマートフォン、タブレット式端末機器等種々のものが想定される。
【００４２】
また、端末機器３００には、計測器４００が着脱可能に接続されており、計測器４００から送出されてくる計測時間情報に所定の属性情報を付してメモリ３６０に格納する機能を有している。ここで、測定器４００との接続は、ケーブルを介しての有線接続でもよいし、例えば赤外線や無線によるワイヤレス接続によるものでもよい。
【００４３】
計測器４００は、センサ５００と例えばＢＬＵＥＴＯＯＴＨ（登録商標）にてワイヤレス接続し、センサ５００から送出されてくる信号の有無の状態を時間で計測し当該計測時間情報を端末機器３００に送出する機能を有する。
【００４４】
各種測定装置（起居能力測定装置６１０、歩行能力測定装置６２０、手腕作業能力測定装置６３０、全身反応能力測定装置６４０、身辺作業能力測定装置６５０）は、夫々がスイッチ部を内設しており、スイッチ部のオン・オフの状態はセンサ５００にて検知されるよう構成されている。
【００４５】
さて、起居能力測定装置６１０について図４を参照して説明する。本装置６１０は被測定者の起居能力の目安となる立ち上がり動作の時間を測定するものであり、椅子６１１０、マットスイッチ６１２０、支柱６１３０、取付け部材６１４０及びスイッチ部６１５０とから構成されている。
【００４６】
椅子６１１０は、高さＨ１（例えばＨ１＝４０ｃｍとする）を有し、その上面部にスイッチ部として機能するマットスイッチ６１２０が敷かれている。そして、マットスイッチ６１２０は、測定対象である被測定者Ａの着座動作に連動してオン・オフが切換わるよう構成されている。
支柱６１３０は、椅子６１１０の一端部から少なくとも２００ｃｍ超以上離れた位置に立設されており、その高さは少なくとも１５０ｃｍ超以上有するものである。また、支柱６１３０の上端部には取付け部材６１４０が設けられている。この取付け部材６１４０の一端部にはスイッチ部６１５０が吊架されている。ここで、スイッチ部６１５０は、その下端部が高さＨ２（例えばＨ２＝１５０ｃｍとする）に位置するとともに、椅子６１１０の一端部から水平方向にＬ１（例えばＬ１＝２００ｃｍとする）離れた位置に存するよう吊架されている。また、スイッチ部６１５０は横方向に払われることにより、オン・オフの状態が切換わるよう機能構成されている。
【００４７】
而してマットスイッチ６１２０を介して椅子６１１０に着座状態にある被測定者Ａが立ち上がり、スイッチ部６１５０を水平方向に払うまでの時間を、オン・オフの切換わりをセンサ５００が検知することにより、計測器４００にて計測するよう構成されている。
【００４８】
続いて、歩行能力測定装置６２０について図５を参照して説明する。本装置６２０は被測定者の歩行能力の目安となるジグザグ歩行動作の時間を測定するものであり、スイッチ部として機能するマットスイッチ６２１０及び五つの障害物６２２０から構成されている。
【００４９】
マットスイッチ６２１０は水平な床面に敷かれており、マットスイッチ６２１０から図５中右方向に障害物６２２０が等間隔Ｌ２（例えばＬ２＝２００ｃｍとする）で一列に並べられている。なお、障害物６２２０は、横幅１０ｃｍ、高さ２０ｃｍ、奥行き１００ｃｍの直方体である。
【００５０】
而して被測定者Ａはマットスイッチ６２１０の左側に立ち、マットスイッチ６２１０を踏んで二点鎖線で示す矢印の方向に障害物６２２０の間をジグザグ歩行する。そして、最右端に位置する障害物６２２０で折り返し、復路は往路とは反対にジグザグ歩行して再びマットスイッチ６２１０を踏む。マットスイッチ６２１０を最初に踏んでから再び踏むまでの時間を、センサ５００を介して計測器４００にて計測するよう構成されている。
【００５１】
続いて、手腕作業能力測定装置６３０について図６を参照して説明する。本装置６３０は被験者の身の回りの動作や家事動作等の手腕能力の目安となるボール移動の時間を測定するものであり、ゴルフボール大のボール１０個を収容する縦５個２列の二つのボール受け台６３１０及びスイッチ部として機能するスタート・ストップ・スイッチ６３２０から構成されている。
【００５２】
即ち、ボール受け台６３１０は例えばテーブル上にＬ３（例えばＬ３＝４０ｃｍとする）の間隔を存して左右に一つずつ設置されており、一方のボール受け台６３１０にはボール１０個が収容されており、他方のボール受け台６３１０は未収用の状態のものである。そして、これらボール受け台６３１０の中間部位で被測定者Ａ側に位置するようスタート・ストップ・スイッチ６３２０がテーブル上に設置されている。
【００５３】
而して被測定者Ａはスタート・ストップ・スイッチ６３２０を押下し、一方のボール受け台６３１０から他方のボール受け台６３１０へボールを移動させる。全てを他方のボール受け台６３１０に移動したら、今度は移動したボールをもとのボール受け台６３１０へ移動させる。全てのボールを戻し終わったら、スタート・ストップ・スイッチ６３２０を押下することになる。スタート・ストップ・スイッチ６３２０を最初に押下してから再び押下するまでの時間を、センサ５００を介して計測器４００にて計測するよう構成されている。
【００５４】
続いて、全身反応能力測定装置６４０について図７を参照して説明する。本装置６４０は被測定者の外部刺激に対する全身反応能力の目安となる反射反応の時間を測定するものであり、スイッチ部として機能するマットスイッチ６４１０及び支柱６４２０の上部に設けられたランプ６４３０から構成されている。
【００５５】
即ち、マットスイッチ６４１０は水平な床面に敷かれており、マットスイッチ６４１０から図７中右方向に支柱６４２０が距離Ｌ４超（例えばＬ４＝２００ｃｍとする）を存して立設されている。支柱６４２０は、その高さは少なくとも１５０ｃｍ超以上有するものである。また、支柱６４２０の上部に設けられたランプ６４３０は任意に点灯消滅可能で、その下端部が高さＨ３（例えばＨ３＝１５０ｃｍとする）に位置するとともに、被測定者Ａから水平方向にＬ４離れた位置に存するよう設けられている。
【００５６】
而して被測定者Ａは、ランプ６４３０が点灯したら直ちにマットスイッチ６４１０を踏むことにより（図７の（ｂ））、ランプ６４３０が点灯してからマットスイッチ６４１０が踏まれるまでの時間を、センサ５００を介して計測器４００にて計測するよう構成されている。
【００５７】
続いて、身辺作業能力測定装置６５０について図８を参照して説明する。本装置６５０は被測定者が身辺作業を円滑に行えるかという身辺作業能力の目安となる壁面へのタッチの時間を測定するものであり、スイッチ部として機能する四つのマットスイッチ６５１０から構成されている。
【００５８】
マットスイッチ６５１０は全て同形状であり、平面な壁面６５２０の上下左右に一つずつ設けられている。下部側に設けられたマットスイッチ６５１０は、水平な床面６５３０から垂直方向にＬ５（例えばＬ５＝５０ｃｍとする）の位置に設けられている。この下部側に設けられたマットスイッチ６５１０の垂直方向に２×Ｌ５の位置には、上部側に位置するマットスイッチ６５１０が設けられている。また、下部側に設けられたマットスイッチ６５１０のさらに垂直方向にＬ５の位置で水平方向右側Ｌ５の位置には、右部側に位置するマットスイッチ６５１０が設けられている。さらに、下部側に設けられたマットスイッチ６５１０のさらに垂直方向にＬ５の位置で水平方向左側Ｌ５の位置には、左部側に位置するマットスイッチ６５１０が設けられている。
【００５９】
而して被測定者Ａ（図８中、不図示）が例えばゴムボールを先ず右手に持って壁面６５２０に向かって立ち、下部側のマットスイッチ６５１０をゴムボールでタッチすると、測定が開始されることになる。そして、下側側のマットスイッチ６５１０をタッチした後、右部側のマットスイッチ６５１０、上部側のマットスイッチ６５１０、左部側のマットスイッチ６５１０の順にタッチし、再び下側側のマットスイッチ６５１０にタッチするまでの時間を、センサ５００を介して計測器４００にて計測するよう構成されている。
次に、被測定者Ａはゴムボールを左手に持ち変えて壁面６５２０に向かって立ち、前述同様にタッチ動作の時間を、センサ５００を介して計測器４００にて計測するよう構成されている。
【００６０】
上記構成につき、その作用を以下に説明する。
高齢者個人の身体活動能力や生活活動能力を把握するには、起居能力測定装置６１０による起居能力の測定、歩行能力測定装置６２０による歩行能力の測定、手腕作業能力測定装置６３０による手腕作業能力の測定、全身反応能力測定装置６４０による反射能力の測定及び身辺作業能力測定装置６５０による身辺作業能力の測定を行う必要がある。
【００６１】
起居能力測定装置６１０による起居能力の測定は、先ず被測定者Ａはマットスイッチ６１２０が敷かれた椅子６１１０に着座する（図４の（ａ）、図９のステップＳ９０２参照）。被測定者Ａは、自発的に椅子６１２０から立ち上がるとマットスイッチ６１２０のオン・オフが切換わるので（ステップＳ９０４）、その切換わりの状態をセンサ５００が検知して計測器４００による時間計測が開始される（ステップＳ９０６）。ここで、立ち上がりに際しては、被測定者Ａは素早く立ち上がる必要はあるが、立ち上がり方は自由とする。
【００６２】
被測定者Ａは立ち上がったら、被測定者Ａに対して正面に位置するスイッチ部６１５０を手で横方向、即ち水平方向に払う（図４の（ｂ））。すると、スイッチ部６１５０はオン・オフが切換わるので（ステップＳ９０８）、その切換わりの状態をセンサ５００が検知して計測器４００による時間計測が終了する（ステップＳ９１０）。
【００６３】
計測された計測時間情報は端末機器３００に送出されて、被測定者Ａに関する情報及び計測日時よりなる属性情報が付される（ステップＳ９１２）。この後、計測時間情報と属性情報は、サーバ１００に送出されて、利用者情報管理部１５０の管理下で被験者情報記憶領域１４０ｄ及び利用者情報記憶領域１４０ｇに格納される（ステップＳ９１４）。
【００６４】
なお、起居能力測定装置６１０による起居能力の測定は、２回実施して早い方の計測時間を採用するようにしてもよいものである。或いは複数回測定して、その平均値でもよいものである。
【００６５】
歩行能力測定装置６２０による歩行能力の測定は、被測定者Ａは計測開始前は進行方向に対しマットスイッチ６２１０の後ろ側（図５中、左側）に立ち、被測定者Ａがマットスイッチ６２１０を一方の足で踏むことにより（図１０のステップＳ１００２参照）、計測が開始される（ステップＳ１００４）。即ち、一方の足でマットスイッチ６２１０が踏まれることによりオン・オフが切換わるので、その切換わりの状態をセンサ５００が検知して計測器４００による時間計測が開始される。
【００６６】
被測定者Ａは、ジグザグ歩行で障害物６２２０を避けるようにして進み、図１０中最右端に位置する障害物６２２０で折り返し、往路と同様にして反対方向へジグザグ歩行して再びマットスイッチ６２１０を踏む（ステップＳ１００６）と、オン・オフが切換わるので、その切換わりの状態をセンサ５００が検知して計測器４００による時間計測が終了する（ステップＳ１００８）。
【００６７】
計測された計測時間情報は端末機器３００に送出されて、被測定者Ａに関する情報及び計測日時よりなる属性情報が付される（ステップＳ１０１０）。この後、計測時間情報と属性情報は、サーバ１００に送出されて、利用者情報管理部１５０の管理下で被験者情報記憶領域１４０ｄ及び利用者情報記憶領域１４０ｇに格納される（ステップＳ１０１２）。
【００６８】
なお、歩行能力測定装置６２０による歩行能力の測定は、２回実施して早い方の計測時間を採用するようにしてもよいものである。或いは複数回測定して、その平均値でもよいものである。
【００６９】
手腕作業能力測定装置６３０による手腕作業能力の測定は、左側に１０個のボールで満たされたボール受け台６３１０が、右側にボールを未収用のボール受け台６３１０が置かれ、被測定者Ａが手のひらでスタート・ストップ・スイッチ６３２０を押下することによりオン・オフの状態が切換わるので（図１１のステップＳ１１０２参照）、その切換わりの状態をセンサ５００が検知して計測器４００による時間計測が開始される（ステップＳ１１０４）。
【００７０】
被測定者Ａは、左側のボール受け台６３１０から他方のボール受け台６３１０へボールを移動させる。全てを他方のボール受け台６３１０に移動させたら、今度は移動したボールをもとのボール受け台６３１０へ移動させる。そして、全てのボールを戻し終わったら、スタート・ストップ・スイッチ６３２０を押下することになる（ステップＳ１１０６）。この押下によりオン・オフの状態が切換わるので、その切換わりの状態をセンサ５００が検知して計測器４００による時間計測が終了する（ステップＳ１１０８）。
【００７１】
計測された計測時間情報は端末機器３００に送出されて、被測定者Ａに関する情報及び計測日時よりなる属性情報が付される（ステップＳ１１１０）。この後、計測時間情報と属性情報は、サーバ１００に送出されて、利用者情報管理部１５０の管理下で被験者情報記憶領域１４０ｄ及び利用者情報記憶領域１４０ｇに格納される（ステップＳ１１１２）。
【００７２】
なお、手腕作業能力測定装置６３０による測定は、２回実施して早い方の計測時間を採用するようにしてもよいものである。或いは複数回測定して、その平均値でもよいものである。
【００７３】
全身反応能力測定装置６４０による反応能力の測定は、被測定者Ａは、先ず、マットスイッチ６４１０の後ろ側に両足を揃えて立つ（図７（ａ）中、左側）。次に、ランプ６４３０が点灯と同時に、計測器４００による時間計測が開始される（図１２のステップＳ１２０２参照）。被測定者Ａは、ランプ６４３０の点灯を視認したら、直ちに片足を前に出してマットスイッチ６４１０を踏む（図７（ｂ）、ステップＳ１２０４）。この踏まれることによりオン・オフの状態が切換わるので、その切換わりの状態をセンサ５００が検知して計測器４００による時間計測が終了する（ステップＳ１２０６）。即ち、ランプ６４３０が点灯してからマットスイッチ６４１０が踏まれるまでの時間を、センサ５００を介して計測器４００にて計測されるものである。
【００７４】
このような計測を５回行って（ステップＳ１２０８）、端末機器３００にて平均値を算出し（ステップＳ１２１０）、被測定者Ａに関する情報及び計測日時よりなる属性情報が付される（ステップＳ１２１２）。この後、平均値としての計測時間情報と属性情報は、サーバ１００に送出されて、利用者情報管理部１５０の管理下で被験者情報記憶領域１４０ｄ及び利用者情報記憶領域１４０ｇに格納される（ステップＳ１２１４）。
【００７５】
身辺作業能力測定装置６５０による身辺作業能力の測定は、被測定者Ａ（図８中、不図示）は先ずは右手にボールを持って壁面に６５２０に向かって立ち、下部側のマットスイッチ６５１０をボールでタッチすると、オン・オフの状態が切換わる（図１３のステップＳ１３０２参照）。この切換わりの状態をセンサ５００が検知して、計測器４００による時間計測が開始される（ステップＳ１３０４）。
【００７６】
下部側のマットスイッチ６５１０をタッチした後、被測定者Ａはボールを右部側のマットスイッチ６５１０、上部側のマットスイッチ６５１０、そして左部側のマットスイッチ６５１０の順にタッチする。この後、被測定者Ａが再び下部側のマットスイッチ６５１０にタッチすると、オン・オフの切換わりをセンサ５００が検知して（ステップＳ１３０６）、計測器４００による時間計測が終了する（ステップＳ１３０８）。
【００７７】
続いて、被測定者Ａは左手にボールを持ち変えて同様の計測を行うことになる（ステップＳ１３１０）。右手及び左手での計測が終了すると（ステップＳ１３１２）、端末機器３００にて合計時間を算出し（ステップＳ１３１４）、被測定者Ａに関する情報及び計測日時よりなる属性情報が付される（ステップＳ１３１６）。この後、合計値としての計測時間情報と属性情報は、サーバ１００に送出されて、利用者情報管理部１５０の管理下で被験者情報記憶領域１４０ｄ及び利用者情報記憶領域１４０ｇに格納される（ステップＳ１３１８）。
【００７８】
上述のようにして計測されたデータをもとに、被測定者Ａの身体活動能力や生活活動能力の機能維持・改善のための有効な運動プログラムの提供について、以下に説明する。
【００７９】
被測定者Ａに関する年齢、性別及び疾患状況の情報については、端末機器３００からサーバ１００に事前に送出しておいてもよいし、上述した測定時に送出するようにしてもよいものである。
【００８０】
さて、端末機器３００からサーバ１００に対して、計測データに基づく有効な運動プログラムの提供要求があると（図１４のステップＳ１４０２を参照）、サーバ１００は要求情報を認識し、制御管理部１１０は利用者情報管理部１５０を起動する。そして、被測定者情報記憶領域１４０ｄ及び利用者情報記憶領域１４０ｇを参照して被測定者Ａに関する情報を認識し（ステップＳ１４０４）、テーブル情報記憶領域１４０ｆを参照して被測定者Ａに合致する運動プログラムを身体活動支援情報領域１４０ｃの情報をもとに作成することになる（ステップＳ１４０６）。
ここで、作成される運動プログラムは、被測定者Ａの年齢、性別及び疾患状況を考慮した運動様式、運動強度、運動時間、運動頻度及び運動期間に関するものである。
【００８１】
斯様にして作成された運動プログラムは、記憶部１４０の所定領域に格納され、またサーバ１００から端末機器３００に送出される。端末機器３００は送出されてくる運動プログラムをメモリ３６０に格納し、入出力部３４０にて確認可能となるものである（ステップＳ１４０８）。
【００８２】
後日、被測定者Ａが作成された運動プログラムを確認する場合は、端末機器３００の入出力部３４０を介して行えばよいものである。
【００８３】
なお、本実施形態に於いては、例えば疾患状況に変化が生じた場合は、端末機器３００から被測定者Ａの疾患状況の変更処理をサーバ１００に対して行えば、要求指示に応じてあらたな運動プログラムが作成されて提供されるよう構成されている。
【００８４】
上記実施形態によれば、従来のように大掛かりな施設等を要すことなくシンプルな構成で、高齢者個人の身体活動能力や生活活動能力を測定でき、その人に適した運動プログラムを提供できるものである。
また、上記構成によれば、いつでもどこにいても測定結果に基づく推奨情報を端末機器３００にて確認可能としたので、便利で有用なものである。しかも、被測定者の状態に変更があれば、適宜変更した運動プログラムを提供可能としたので、安全に安心して身体活動支援が行え、実用面に於いて有用なものである。
【００８５】
さらに、上記実施形態によれば、計測部４００とセンサ５００はワイヤレス状態で接続しているので、測定場所の制約を受け難く測定環境がシンプルになり、また測定場所の選択肢が広がり実用的なものである。
加えて、端末機器３００と計測部４００とをもワイヤレス状態で接続すれば、さらに測定環境の改善を図れるものである。
【００８６】
（第２の実施形態）
以下に第２の実施形態について、説明する。前述第１の実施形態と同一部分・同一機能には同一符号を付して一部説明は省略する。
【００８７】
第２の実施形態に係わる身体活動支援システムは、図１５に示すように、サーバコンピュータ（以下、サーバ）１００、このサーバ１００とインターネット回線等の通信ネットワーク２００を介して接続されるカードリーダ機能及び四則演算機能並びに外部への情報送出機能を有する計測器４００、この計測器４００に接続するセンサ５００及びこのセンサ５００に接続する各種測定装置（起居能力測定装置６１０、歩行能力測定装置６２０、手腕作業能力測定装置６３０、全身反応能力測定装置６４０、身辺作業能力測定装置６５０）、サーバ１００と通信ネットワーク２００を介して接続されるカードリーダ機能を有する測定情報送出装置７００、この測定情報送出装置７００と接続する出力装置８００及びサーバ１００と通信ネットワーク２００を介して接続される端末機器９００とから構成される。通信ネットワーク２００を介してのサーバ１００と測定情報送出装置７００、計測器４００及び端末機器９００との通信は、セキュリティ対策としてＨＴＴＰＳプロトコル（例えばＩＥＴＦのＴＬＳ通信)にて情報の送受信が行われる。
【００８８】
サーバ１００は、クラウド型のサーバコンピュータで、図１６に示すように、制御処理部１１０、入力部１２０、出力部１３０、記憶部１４０及び利用者情報管理部１５０を内設し、夫々が信号線１６０を介して接続されている。そして、サーバ１００は、通信ネットワーク２００を介して測定情報送出装置７００から送出されてくる属性情報並びに計測器４００から送出されてくる計測時間情報及び属性情報等を受信し、所定のフォーマットに整えられた計測結果の情報や当該受信情報に対して有用とされる情報を選出して測定情報送出装置７００や端末機器９００に送出する機能を有する。
【００８９】
制御処理部１１０は、記憶部１４０に格納された所定のプログラム情報を参照してシステム全体の制御処理を司る機能を有する。また、制御処理部１１０は、計測器４００や測定情報送出装置７００或いは端末機器９００から送出されてくる情報を入力部１２０を介して受信し、記憶部１４０を参照して当該情報に対して有用または適切と判断する情報を出力部１３０を介して測定情報送出装置７００や端末機器９００に送出する機能を有する。
【００９０】
入力部１２０は、制御処理部１１０の管理下で、外部から送出されてくる情報を受信し記憶部１４０に格納する機能を有する。また、入力部１２０は、制御処理部１１０の管理下で、内設するキーボード等からのキー入力による入力情報を記憶部１４０に格納する機能を有する。
【００９１】
出力部１３０は、制御処理部１１０の管理下で、各種情報を表示出力したり音声出力等する機能を有する。また、出力部１３０は、制御処理部１１０の管理下で、各種情報を通信ネットワーク２００を介して外部へ送出する機能を有する。
【００９２】
記憶部１４０はリード／ライト可能なメモリである。記憶部１４０は、制御処理部１１０が各種制御処理・管理をするために参照するプログラム情報を格納するプログラム情報記憶領域１４０ａ、各種コンテンツ情報を格納しておくためのコンテンツ情報記憶領域１４０ｂ、各種作業を行うための作業領域１４０ｃ、計測器４００や測定情報送出装置７００から送出されてくる種々の計測時間情報及び属性情報（ここでは、被測定者が所持するＩＣカードの管理番号であり識別情報としての属性情報）を被測定者情報として格納する被測定者情報記憶領域１４０ｄ、身体活動支援管理に有用とされる身体活動支援情報が格納される身体活動支援情報記憶領域１４０ｅ及び時間情報と属性情報を所定の規則に従って対応付けられたテーブル情報が格納されるテーブル情報記憶領域１４０ｆの記憶領域を有する。さらに、記憶部１４０は、利用者の識別情報としての属性情報及び計測情報に関連付けられた生年月日、性別及び生活習慣に係わる情報並びに利用履歴情報等を格納する利用者情報記憶領域１４０ｈ等の記憶領域を有する。
【００９３】
ここで、身体活動支援情報記憶領域１４０ｅに格納される身体活動支援管理に有用とされる身体活動支援情報とは、起居能力、歩行能力、手腕作業能力、全身反応能力及び身辺作業能力の測定結果に基づき、衰え始めている能力への対策情報、例えば運動プログラム（レコメンド情報、図３参照）を作成するためのものである。具体的には、測定結果に基づく年齢別、性別及び疾患状況別の運動様式、運動強度、運動時間、運動頻度及び運動期間に関する情報である。
【００９４】
また、テーブル情報記憶領域１４０ｆに格納される時間情報及び属性情報は、
所定時間毎の評価情報を導出すべく、起居能力、歩行能力、手腕作業能力、全身反応能及び身辺作業能力の測定時間を分類化し、年齢別、性別及び疾患の有無別にテーブル化したものである。
【００９５】
利用者情報管理部１５０は、制御処理部１１０の管理下で、入力されてくる利用者に関する識別情報としての属性情報や計測情報及び利用履歴情報等を利用者情報記憶領域１４０ｈに格納する機能を有する。また、利用者情報管理部１５０は、制御処理部１１０の管理下で、利用者情報記憶領域１４０ｈに格納される情報を参照・選出して所定の情報を送出する機能を有する。
【００９６】
計測器４００は、センサ５００と例えばＢＬＵＥＴＯＯＴＨ（登録商標）にてワイヤレス接続し、センサ５００から送出されてくる信号の有無の状態を時間で計測し、当該計測時間情報に内設するカードリーダ機能により被測定者が所持するＩＣカードの識別情報を属性情報として付して、通信ネットワーク２００を介してサーバ１００に送出する機能を有する。
【００９７】
各種測定装置（起居能力測定装置６１０、歩行能力測定装置６２０、手腕作業能力測定装置６３０、全身反応能力測定装置６４０、身辺作業能力測定装置６５０）は、夫々がスイッチ部を内設しており、スイッチ部のオン・オフの状態はセンサ５００にて検知されるよう構成されている。
【００９８】
さて、起居能力測定装置６１０について前述第１の実施形態と同様に図４を参照して説明する。本装置６１０は被測定者の起居能力の目安となる立ち上がり動作の時間を測定するものであり、椅子６１１０、マットスイッチ６１２０、支柱６１３０、取付け部材６１４０及びスイッチ部６１５０とから構成されている。
【００９９】
椅子６１１０は、高さＨ１（例えばＨ１＝４０ｃｍとする）を有し、その上面部にスイッチ部として機能するマットスイッチ６１２０が敷かれている。そして、マットスイッチ６１２０は、測定対象である被測定者Ａの着座動作に連動してオン・オフが切換わるよう構成されている。
支柱６１３０は、椅子６１１０の一端部から少なくとも２００ｃｍ超以上離れた位置に立設されており、その高さは少なくとも１５０ｃｍ超以上有するものである。また、支柱６１３０の上端部には取付け部材６１４０が設けられている。この取付け部材６１４０の一端部にはスイッチ部６１５０が吊架されている。ここで、スイッチ部６１５０は、その下端部が高さＨ２（例えばＨ２＝１５０ｃｍとする）に位置するとともに、椅子６１１０の一端部から水平方向にＬ１（例えばＬ１＝２００ｃｍとする）離れた位置に存するよう吊架されている。また、スイッチ部６１５０は横方向に払われることにより、オン・オフの状態が切換わるよう機能構成されている。
【０１００】
而して被測定者Ａは、先ず計測器４００に内設されたカードリーダ機能により所持するＩＣカードを読み取らせた後、マットスイッチ６１２０を介して椅子６１１０に着座状態にある被測定者Ａが立ち上がり、スイッチ部６１５０を水平方向に払うまでの時間を、オン・オフの切換わりをセンサ５００が検知することにより、計測器４００にて計測するよう構成されている。
【０１０１】
続いて、歩行能力測定装置６２０について前述第１の実施形態と同様に図５を参照して説明する。本装置６２０は被測定者の歩行能力の目安となるジグザグ歩行動作の時間を測定するものであり、スイッチ部として機能するマットスイッチ６２１０及び五つの障害物６２２０から構成されている。
【０１０２】
マットスイッチ６２１０は水平な床面に敷かれており、マットスイッチ６２１０から図５中右方向に障害物６２２０が等間隔Ｌ２（例えばＬ２＝２００ｃｍとする）で一列に並べられている。なお、障害物６２２０は、横幅１０ｃｍ、高さ２０ｃｍ、奥行き１００ｃｍの直方体である。
而して被測定者Ａは、先ず計測器４００に内設されたカードリーダ機能により所持するＩＣカードを読み取らせた後、マットスイッチ６２１０の左側に立ち、マットスイッチ６２１０を踏んで二点鎖線で示す矢印の方向に障害物６２２０の間をジグザグ歩行する。そして、最右端に位置する障害物６２２０で折り返し、復路は往路とは反対にジグザグ歩行して再びマットスイッチ６２１０を踏む。マットスイッチ６２１０を最初に踏んでから再び踏むまでの時間を、センサ５００を介して計測器４００にて計測するよう構成されている。
【０１０３】
続いて、手腕作業能力測定装置６３０について前述第１の実施形態と同様に図６を参照して説明する。本装置６３０は被験者の身の回りの動作や家事動作等の手腕能力の目安となるボール移動の時間を測定するものであり、ゴルフボール大のボール１０個を収容する縦５個２列の二つのボール受け台６３１０及びスイッチ部として機能するスタート・ストップ・スイッチ６３２０から構成されている。
【０１０４】
即ち、ボール受け台６３１０は例えばテーブル上にＬ３（例えばＬ３＝４０ｃｍとする）の間隔を存して左右に一つずつ設置されており、一方のボール受け台６３１０にはボール１０個が収容されており、他方のボール受け台６３１０は未収用の状態のものである。そして、これらボール受け台６３１０の中間部位で被測定者Ａ側に位置するようスタート・ストップ・スイッチ６３２０がテーブル上に設置されている。
【０１０５】
而して被測定者Ａは、先ず計測器４００に内設されたカードリーダ機能により所持するＩＣカードを読み取らせた後、スタート・ストップ・スイッチ６３２０を押下し、一方のボール受け台６３１０から他方のボール受け台６３１０へボールを移動させる。全てを他方のボール受け台６３１０に移動したら、今度は移動したボールをもとのボール受け台６３１０へ移動させる。全てのボールを戻し終わったら、スタート・ストップ・スイッチ６３２０を押下することになる。スタート・ストップ・スイッチ６３２０を最初に押下してから再び押下するまでの時間を、センサ５００を介して計測器４００にて計測するよう構成されている。
【０１０６】
続いて、全身反応能力測定装置６４０について前述第１の実施形態と同様に図７を参照して説明する。本装置６４０は被測定者の外部刺激に対する全身反応能力の目安となる反射反応の時間を測定するものであり、スイッチ部として機能するマットスイッチ６４１０及び支柱６４２０の上部に設けられたランプ６４３０から構成されている。
【０１０７】
即ち、マットスイッチ６４１０は水平な床面に敷かれており、マットスイッチ６４１０から図７中右方向に支柱６４２０が距離Ｌ４超（例えばＬ４＝２００ｃｍとする）を存して立設されている。支柱６４２０は、その高さは少なくとも１５０ｃｍ超以上有するものである。また、支柱６４２０の上部に設けられたランプ６４３０は任意に点灯消滅可能で、その下端部が高さＨ３（例えばＨ３＝１５０ｃｍとする）に位置するとともに、被測定者Ａから水平方向にＬ４離れた位置に存するよう設けられている。
【０１０８】
而して被測定者Ａは、先ず計測器４００に内設されたカードリーダ機能により所持するＩＣカードを読み取らせた後、ランプ６４３０が点灯したら直ちにマットスイッチ６４１０を踏むことにより（図７の（ｂ））、ランプ６４３０が点灯してからマットスイッチ６４１０が踏まれるまでの時間を、センサ５００を介して計測器４００にて計測するよう構成されている。
【０１０９】
続いて、身辺作業能力測定装置６５０について前述第１の実施形態と同様に図８を参照して説明する。本装置６５０は被測定者が身辺作業を円滑に行えるかという身辺作業能力の目安となる壁面へのタッチの時間を測定するものであり、スイッチ部として機能する四つのマットスイッチ６５１０から構成されている。
【０１１０】
マットスイッチ６５１０は全て同形状であり、平面な壁面６５２０の上下左右に一つずつ設けられている。下部側に設けられたマットスイッチ６５１０は、水平な床面６５３０から垂直方向にＬ５（例えばＬ５＝５０ｃｍとする）の位置に設けられている。この下部側に設けられたマットスイッチ６５１０の垂直方向に２×Ｌ５の位置には、上部側に位置するマットスイッチ６５１０が設けられている。また、下部側に設けられたマットスイッチ６５１０のさらに垂直方向にＬ５の位置で水平方向右側Ｌ５の位置には、右部側に位置するマットスイッチ６５１０が設けられている。さらに、下部側に設けられたマットスイッチ６５１０のさらに垂直方向にＬ５の位置で水平方向左側Ｌ５の位置には、左部側に位置するマットスイッチ６５１０が設けられている。
【０１１１】
而して被測定者Ａは計測器４００に内設されたカードリーダ機能により所持するＩＣカードを読み取らせた後、被測定者Ａ（図８中、不図示）が例えばゴムボールを先ず右手に持って壁面６５２０に向かって立ち、下部側のマットスイッチ６５１０をゴムボールでタッチすると、測定が開始されることになる。そして、下側側のマットスイッチ６５１０をタッチした後、右部側のマットスイッチ６５１０、上部側のマットスイッチ６５１０、左部側のマットスイッチ６５１０の順にタッチし、再び下側側のマットスイッチ６５１０にタッチするまでの時間を、センサ５００を介して計測器４００にて計測するよう構成されている。
次に、被測定者Ａはゴムボールを左手に持ち変えて壁面６５２０に向かって立ち、前述同様にタッチ動作の時間を、センサ５００を介して計測器４００にて計測するよう構成されている。
【０１１２】
測定情報送出装置７００は、カードリーダ機能により被験者が所持するＩＣカードを認識し、当該認識した情報を通信ネットワーク２００を介してサーバ１００に創出する機能を有する。また、測定情報送出装置７００は、サーバ１００から送出されてくる所定の情報を受信して記憶する機能を有する。
なお、本実施形態に於けるＩＣカードの管理番号は、単なる識別情報としての英数字を所定数羅列したものである。
【０１１３】
出力装置８００は、測定情報送出装置７００と着脱自在に接続し、測定情報送出装置７００から送出されてくる情報を表示出力したり、印刷出力する機能を有する。
【０１１４】
端末機器９００は、端末機器全体の制御処理を司る制御部９２０、入出力情報を処理する入出力部９４０、被測定者に関する個人情報と識別情報としての属性情報を特定するとともにレコメンド情報を対応付ける機能を有する管理部９６０及び各種情報を格納するリード／ライト可能なメモリ９８０を内設するものである。端末機器９００としては、例えばパソコンやタブレット型端末が想定される。
【０１１５】
上記構成につき、その作用を以下に説明する。
高齢者個人の身体活動能力や生活活動能力を把握するには、起居能力測定装置６１０による起居能力の測定、歩行能力測定装置６２０による歩行能力の測定、手腕作業能力測定装置６３０による手腕作業能力の測定、全身反応能力測定装置６４０による反射能力の測定及び身辺作業能力測定装置６５０による身辺作業能力の測定を行う必要がある。
【０１１６】
起居能力測定装置６１０による起居能力の測定は、先ず被測定者Ａは所持するＩＣカードを、計測器４００に内設されたカードリーダ機能により読み取らせる（図１７のステップＳ１７０２参照）。
【０１１７】
この後、被測定者Ａはマットスイッチ６１２０が敷かれた椅子６１１０に着座する（図４の（ａ）、図１７のステップＳ１７０４参照）。被測定者Ａは、自発的に椅子６１２０から立ち上がるとマットスイッチ６１２０のオン・オフが切換わるので（ステップＳ１７０６）、その切換わりの状態をセンサ５００が検知して計測器４００による時間計測が開始される（ステップＳ１７０８）。ここで、立ち上がりに際しては、被測定者Ａは素早く立ち上がる必要はあるが、立ち上がり方は自由とする。
【０１１８】
被測定者Ａは立ち上がったら、被測定者Ａに対して正面に位置するスイッチ部６１５０を手で横方向、即ち水平方向に払う（図４の（ｂ））。すると、スイッチ部６１５０はオン・オフが切換わるので（ステップＳ１７１０）、その切換わりの状態をセンサ５００が検知して計測器４００による時間計測が終了する（ステップＳ１７１２）。
【０１１９】
計測された時間情報は計測器４００にて、被測定者Ａに関する識別情報及び計測日時よりなる属性情報が付される（ステップＳ１７１４）。この後、計測時間情報と属性情報は、サーバ１００に送出されて、利用者情報管理部１５０の管理下で被験者情報記憶領域１４０ｄ及び利用者情報記憶領域１４０ｈに格納される（ステップＳ１７１６）。
【０１２０】
なお、起居能力測定装置６１０による起居能力の測定は、２回実施して早い方の計測時間を採用するようにしてもよいものである。或いは複数回測定して、その平均値でもよいものである。
また、明らかな異常値の場合は、再測定を要求するよう構成してもよいものである。
【０１２１】
歩行能力測定装置６２０による歩行能力の測定は、先ず被測定者Ａは所持するＩＣカードを、計測器４００に内設されたカードリーダ機能により読み取らせる（図１８のステップＳ１８０２参照）。
【０１２２】
この後、被測定者Ａは計測開始前は進行方向に対しマットスイッチ６２１０の後ろ側（図５中、左側）に立ち、被測定者Ａがマットスイッチ６２１０を一方の足で踏むことにより（ステップＳ１８０４）、計測が開始される（ステップＳ１８０６）。即ち、一方の足でマットスイッチ６２１０が踏まれることによりオン・オフが切換わるので、その切換わりの状態をセンサ５００が検知して計測器４００による時間計測が開始される。
【０１２３】
被測定者Ａは、ジグザグ歩行で障害物６２２０を避けるようにして進み、図１０中最右端に位置する障害物６２２０で折り返し、往路と同様にして反対方向へジグザグ歩行して再びマットスイッチ６２１０を踏む（ステップＳ１８０８）と、オン・オフが切換わるので、その切換わりの状態をセンサ５００が検知して計測器４００による時間計測が終了する（ステップＳ１８１０）。
【０１２４】
計測された時間情報は計測器４００にて、被測定者Ａに関する識別情報及び計測日時よりなる属性情報が付される（ステップＳ１８１２）。この後、計測時間情報と属性情報は、サーバ１００に送出されて、利用者情報管理部１５０の管理下で被験者情報記憶領域１４０ｄ及び利用者情報記憶領域１４０ｈに格納される（ステップＳ１８１４）。
【０１２５】
なお、歩行能力測定装置６２０による歩行能力の測定は、２回実施して早い方の計測時間を採用するようにしてもよいものである。或いは複数回測定して、その平均値でもよいものである。
また、明らかな異常値の場合は、再測定を要求するよう構成してもよいものである。
【０１２６】
手腕作業能力測定装置６３０による手腕作業能力の測定は、先ず被測定者Ａは所持するＩＣカードを、計測器４００に内設されたカードリーダ機能により読み取らせる（図１９のステップＳ１９０２参照）。
【０１２７】
この後、被測定者Ａの左側に１０個のボールで満たされたボール受け台６３１０が、右側にボールを未収用のボール受け台６３１０が置かれ、被測定者Ａが手のひらでスタート・ストップ・スイッチ６３２０を押下することによりオン・オフの状態が切換わるので（ステップＳ１９０４）、その切換わりの状態をセンサ５００が検知して計測器４００による時間計測が開始される（ステップＳ１９０６）。
【０１２８】
被測定者Ａは、左側のボール受け台６３１０から他方のボール受け台６３１０へボールを移動させる。全てを他方のボール受け台６３１０に移動させたら、今度は移動したボールをもとのボール受け台６３１０へ移動させる。そして、全てのボールを戻し終わったら、スタート・ストップ・スイッチ６３２０を押下することになる（ステップＳ１９０８）。この押下によりオン・オフの状態が切換わるので、その切換わりの状態をセンサ５００が検知して計測器４００による時間計測が終了する（ステップＳ１９１０）。
【０１２９】
計測された時間情報は計測器４００にて、被測定者Ａに関する識別情報及び計測日時よりなる属性情報が付される（ステップＳ１９１２）。この後、計測時間情報と属性情報は、サーバ１００に送出されて、利用者情報管理部１５０の管理下で被験者情報記憶領域１４０ｄ及び利用者情報記憶領域１４０ｈに格納される（ステップＳ１９１４）。
【０１３０】
なお、手腕作業能力測定装置６３０による測定は、２回実施して早い方の計測時間を採用するようにしてもよいものである。或いは複数回測定して、その平均値でもよいものである。
また、明らかな異常値の場合は、再測定を要求するよう構成してもよいものである。
【０１３１】
全身反応能力測定装置６４０による反応能力の測定は、先ず被測定者Ａは所持するＩＣカードを、計測器４００に内設されたカードリーダ機能により読み取らせる（図２０のステップＳ２００２参照）。
【０１３２】
この後、被測定者Ａは、先ず、マットスイッチ６４１０の後ろ側に両足を揃えて立つ（図７（ａ）中、左側）。次に、ランプ６４３０が点灯と同時に、計測器４００による時間計測が開始される（ステップＳ２００４）。被測定者Ａは、ランプ６４３０の点灯を視認したら、直ちに片足を前に出してマットスイッチ６４１０を踏む（図７（ｂ）、ステップＳ２００６）。この踏まれることによりオン・オフの状態が切換わるので、その切換わりの状態をセンサ５００が検知して計測器４００による時間計測が終了する（ステップＳ２００８）。即ち、ランプ６４３０が点灯してからマットスイッチ６４１０が踏まれるまでの時間を、センサ５００を介して計測器４００にて計測されるものである。
【０１３３】
このような計測を５回行って（ステップＳ２０１０）、計測器４００の四則演算機能を利用して平均値を算出し（ステップＳ２０１２）、被測定者Ａに関する識別情報及び計測日時よりなる属性情報が付される（ステップＳ２０１４）。この後、平均値としての計測時間情報と属性情報は、サーバ１００に送出されて、利用者情報管理部１５０の管理下で被験者情報記憶領域１４０ｄ及び利用者情報記憶領域１４０ｈに格納される（ステップＳ２０１６）。
【０１３４】
身辺作業能力測定装置６５０による身辺作業能力の測定は、先ず被測定者Ａは所持するＩＣカードを、計測器４００に内設されたカードリーダ機能により読み取らせる（図２１のステップＳ２１０２参照）。
【０１３５】
この後、被測定者Ａ（図８中、不図示）は先ずは右手にボールを持って壁面に６５２０に向かって立ち、下部側のマットスイッチ６５１０をボールでタッチすると、オン・オフの状態が切換わる（ステップＳ２１０４）。この切換わりの状態をセンサ５００が検知して、計測器４００による時間計測が開始される（ステップＳ２１０６）。
【０１３６】
下部側のマットスイッチ６５１０をタッチした後、被測定者Ａはボールを右部側のマットスイッチ６５１０、上部側のマットスイッチ６５１０、そして左部側のマットスイッチ６５１０の順にタッチする。この後、被測定者Ａが再び下部側のマットスイッチ６５１０にタッチすると、オン・オフの切換わりをセンサ５００が検知して（ステップＳ２１０８）、計測器４００による時間計測が終了する（ステップＳ２１１０）。
【０１３７】
続いて、被測定者Ａは左手にボールを持ち変えて同様の計測を行うことになる（ステップＳ２１１２）。右手及び左手での計測が終了すると（ステップＳ２１１４）、計測器４００の四則演算機能により合計時間を算出し（ステップＳ２１１６）、被測定者Ａに関する識別情報及び計測日時よりなる属性情報が付される（ステップＳ２１１８）。この後、合計値としての計測時間情報と属性情報は、サーバ１００に送出されて、利用者情報管理部１５０の管理下で被験者情報記憶領域１４０ｄ及び利用者情報記憶領域１４０ｈに格納される（ステップＳ２１２０）。
【０１３８】
上述のようにして計測されたデータは、各々の測定終了後或いは全ての測定終了後に、被測定者の測定結果に関し例えば測定情報送出装置７００から所定のリクエスト情報が送出されると（図２２のステップＳ２２０２のＹ参照）、サーバ１００は測定結果を所定のフォーマットに整えて、当該整えた情報を測定情報送出装置７００に送出することになる（ステップＳ２２０４）。測定情報送出装置７００は当該情報を受信すると、出力装置８００に表示出力することになる（ステップＳ２２０６）。また、出力装置８００にて任意に印字出力させることも可能である。
【０１３９】
なお、測定結果の出力は、測定終了直後に限らず後日出力指示のリクエストをしてもよいことは勿論である。また、当該リクエストは、測定情報送出装置７００に限らず端末機器９００からの指示でもよい。
さらに、測定結果の出力は、リクエストの出力指示を待つことなく、測定後直ちに自動的に出力するよう構成してもよいことは勿論である。
【０１４０】
さて、上述のようにして計測されたデータをもとに、被測定者Ａの身体活動能力や生活活動能力の機能維持・改善のための有効な運動プログラムの提供について、以下に説明する。
【０１４１】
端末機器９００からサーバ１００に対して、計測データに基づく被測定者Ａにとって有効或いは適切な運動プログラムの提供要求があると（図２３のステップＳ２３０２を参照）、サーバ１００は要求情報を認識し、制御管理部１１０は利用者情報管理部１５０を起動する。そして、被測定者情報記憶領域１４０ｄ及び利用者情報記憶領域１４０ｈを参照して被測定者Ａに関する情報を認識し（ステップＳ２３０４）、テーブル情報記憶領域１４０ｆを参照して被測定者Ａに合致する運動プログラムを身体活動支援情報領域１４０ｃの情報をもとに作成することになる（ステップＳ２３０６）。
ここで、作成される運動プログラムは、被測定者Ａの年齢、性別及び疾患状況を考慮した運動様式、運動強度、運動時間、運動頻度及び運動期間に関するものである。
【０１４２】
斯様にして作成された運動プログラムは、記憶部１４０の所定領域に格納され、またサーバ１００から端末機器９００に送出される（ステップＳ２３０８）。端末機器９００は、受信した運動プログラムを管理部９６０にて該当する被測定者を特定し、当該被測定者との個人情報を結び付けてメモリ９８０に格納する（ステップＳ２３１０）。
【０１４３】
而して個人情報と対応付けられた運動プログラムは、入出力部９４０にて確認可能となるものである（ステップＳ２３１２）。
【０１４４】
後日、作成された被測定者Ａ用の運動プログラムを確認する場合は、端末機器９００の入出力部９４０を介して行えばよいものである。
【０１４５】
なお、本実施形態に於いては、例えば疾患状況に変化が生じた場合は、端末機器９００から被測定者Ａの疾患状況の変更処理をサーバ１００に対して行えば、要求指示に応じてあらたな運動プログラムが作成されて提供されるよう構成されている。
【０１４６】
上記実施形態によれば、従来のように大掛かりな施設等を要すことなくシンプルな構成で、高齢者個人の身体活動能力や生活活動能力を測定でき、その人に適した運動プログラムを提供できるものである。
また、上記構成によれば、いつでもどこにいても測定情報送出装置７００にあっては測定結果を、端末機器９００にあっては測定結果及び測定結果に基づく推奨情報を確認可能としたので、便利で有用なものである。しかも、被測定者の状態に変更があれば、適宜変更した運動プログラムを提供可能としたので、安全に安心して身体活動支援が行え、実用面に於いて有用なものである。
【０１４７】
さらに、上記実施形態によれば、計測部４００とセンサ５００はワイヤレス状態で接続しているので、測定場所の制約を受け難く測定環境がシンプルになり、また測定場所の選択肢が広がり実用的なものである。
【０１４８】
さらに、上記実施形態によれば、サーバ１００には被測定者の個人情報を保持させず個人を特定できない構成としたので、個人情報の不用意な流出や漏洩の防止を図れ、個人情報保護の観点からも有用なものである。
【０１４９】
さて、図２４は、上記実施形態の変形例である。上記実施形態と同一部分・同一機能には同一符号を付して説明は省略する。
【０１５０】
本変形例では、計測器４００と測定情報送出装置７００をワイヤレス接続することにより、計測器４００からの計測時間情報を測定情報送出装置７００を介してサーバ１００へ属性情報とともに送出する構成としてある。斯様な構成にすることで、計測器４００への負荷を軽減させることが可能となる。
また、一部の出力装置８００は測定情報送出装置７００を介すことなく通信ネットワーク２００を介してサーバ１００に接続可能とし、サーバ１００から送出されてくる情報を直接受信し出力可能としたものである。この場合の出力装置８００としては、携帯型タブレット端末やスマートフォンが想定可能となる。
【０１５１】
なお、本発明は上記第１の実施形態並びに第２の実施形態及び変形例に限定されるものではなく、本発明の要旨を逸脱しない限り種々の変形が可能なことは勿論である。
【符号の説明】
【０１５２】
１００            …サーバ（サーバコンピュータ）
１４０ｅ          …身体活動支援情報記憶領域
２００            …通信ネットワーク
３００，９００    …端末機器
４００            …計測部
５００            …センサ
６１０            …起居能力測定装置
６２０            …歩行能力測定装置
６３０            …手腕作業能力測定装置
６４０            …全身反応能力測定装置
６５０            …身辺作業能力測定装置
７００            …測定情報送出装置
８００            …出力装置
６１２０          …マットスイッチ（スイッチ部）
６１３０          …スイッチ部
６２１０          …マットスイッチ（スイッチ部）
６３２０          …スタート・ストップ・スイッチ（スイッチ部）
６４１０          …マットスイッチ（スイッチ部）
６５１０          …マットスイッチ（スイッチ部）
【図１】
2020095367.tif 000003
【図２】
2020095367.tif 000004
【図３】
2020095367.tif 000005
【図４】
2020095367.tif 000006
【図５】
2020095367.tif 000007
【図６】
2020095367.tif 000008
【図７】
2020095367.tif 000009
【図８】
2020095367.tif 000010
【図９】
2020095367.tif 000011
【図１０】
2020095367.tif 000012
【図１１】
2020095367.tif 000013
【図１２】
2020095367.tif 000014
【図１３】
2020095367.tif 000015
【図１４】
2020095367.tif 000016
【図１５】
2020095367.tif 000017
【図１６】
2020095367.tif 000018
【図１７】
2020095367.tif 000019
【図１８】
2020095367.tif 000020
【図１９】
2020095367.tif 000021
【図２０】
2020095367.tif 000022
【図２１】
2020095367.tif 000023
【図２２】
2020095367.tif 000024
【図２３】
2020095367.tif 000025
【図２４】
2020095367.tif 000026